(57)【要約】【課題】表面への画像記録によって生じた変形を確実に相殺して、裏面への良好な画像記録を実現することができる画像記録装置の提供。【解決手段】排紙路６５Ｂの途中に反転搬送路６７が設けられている。排紙路６５Ｂと反転搬送路６７との間に分岐口３６が形成されている。分岐口３６付近にフラップ４９が設けられている。フラップ４９の下流側に第３搬送ローラ４５、４６が配置されている。フラップ４９は、常時反転搬送路６７側に回動付勢されている。記録用紙５５のがフラップ４９の所定位置まで搬送されると、フラップ４９は一旦仰ぐように姿勢変化し、その後倒伏する。記録用紙が反転搬送路６７側に湾曲された状態で、第３搬送ローラ４５、４６が逆転される。【選択図】図１０
2010208718.tif 000002
【特許請求の範囲】
【請求項１】
第１端を先頭として第１パスに沿って搬送される被記録シートの第１面に画像を記録すると共に上記第１端と反対側の第２端を先頭として第１パスから第２パスを経て再び第１パスへ戻された当該被記録シートの第２面に画像を記録する記録部と、
上記記録部よりも搬送方向第１向き前側に設けられ、上記記録部によって第１面に画像が記録された被記録シートの第２面を支持すると共に当該被記録シートを搬送方向第１向きへ案内する案内支持面及び当該案内支持面に形成された凹部を有する第１ガイドと、
上記第１ガイドとの間に上記第２パスへ通ずる分岐口を形成するように当該第１ガイドよりも搬送方向第１向き前側に配置され、被記録シートを搬送する搬送ローラと、
上記分岐口から下方へ延出され、上記搬送ローラによって搬送方向第２向きへ搬送される被記録シートを上記第１パスから上記第２パスへ案内する第２ガイドと、
上記分岐口よりも搬送方向第２向き前側に配置された支軸を中心に回動自在に設けられると共に当該支軸から搬送方向第１向きへ延出され且つ当該支軸側に設けられた第１補助ローラ及び当該第１補助ローラに対して搬送方向第１向き前側に所定距離だけ隔てて設けられた第２補助ローラを有し、上記第１補助ローラが上記凹部に進入する第１姿勢と搬送される被記録シートが上記凹部を覆うことによって上記第１補助ローラが上記支軸を中心に回動して上記凹部から退出する第２姿勢との間で姿勢変化可能なフラップと、
上記第１ガイドに設けられ、上記案内支持面上を搬送される第１面に画像が記録された被記録シートの第２端位置を検知する第２端検知手段と、
第１面に画像が記録された被記録シートの第２端が上記第１補助ローラを通過して当該第１補助ローラと上記第２補助ローラとの間まで搬送されたときに、当該被記録シートの搬送向きを搬送方向第１向きから搬送方向第２向きへ切り換えるべく上記搬送ローラの回転を制御する制御装置とを備えた画像記録装置。
【請求項２】
上記第１補助ローラは拍車状に形成されており、
上記凹部は、上記第１補助ローラが嵌め込まれる櫛状に形成されている請求項１に記載の画像記録装置。
【請求項３】
上記凹部は、上記第１ガイドの搬送方向第１向き前側端部に設けられている請求項１又は２に記載の画像記録装置。
【請求項４】
搬送方向第１向きから搬送方向第２向きへ搬送向きが切り換えられた被記録シートの第２端に当接して当該第２端の移動を規制する当接部が、上記第１ガイドに設けられている請求項１から３のいずれかに記載の画像記録装置。
【発明の詳細な説明】
【技術分野】
【０００１】
本発明は、被記録シートにインクを吐出することによって画像を記録する画像記録装置に関し、より詳細には、被記録シートの第１面（表面）及び第２面（裏面）の両面に画像を記録することが可能な画像記録装置に関するものである。
【背景技術】
【０００２】
被記録シート（典型的には記録用紙）の両面に画像を記録することができる画像記録装置が知られている。例えば、特許文献１は、表面に画像が記録された記録用紙を記録ヘッドの下流側でスイッチバックさせて一旦記録ヘッドの下側に配置された給紙トレイに戻し、再び記録ヘッド側へ給送することにより当該記録用紙の裏面に画像を記録する機構を開示している。この種の画像記録装置は、従来から次のような問題点を有している。すなわち、第１面（表面）に画像が記録された記録用紙の端部はカールしやすくなるため、第２面（裏面）に画像が記録される際に記録用紙の端部が記録ヘッドのノズルやキャリッジに接触して適切な画像記録が阻害されるという問題点が存在する。
【０００３】
特許文献２に開示された記録装置は、この問題を解決するため、第２面への画像記録の際に記録用紙がカールしないような構成を採用している。具体的には、この記録装置は、第１面に画像が記録された記録用紙の先端部がループ状の反転搬送路に位置する状態で当該記録用紙を所定時間だけ停止させる。これにより、記録用紙は、第１面への画像記録によって生じたカールが相殺されるように変形される。
【先行技術文献】
【特許文献】
【０００４】
【特許文献１】特開２００７−１４５５７４号公報
【特許文献２】特開２００５−０７４７４５号公報
【発明の概要】
【発明が解決しようとする課題】
【０００５】
しかしながら、記録用紙をカールした方向と逆方向に所定時間だけ変形させるという対策は、記録用紙の変形を確実に矯正することができない場合がある。例えば、インクジェット方式の画像記録装置では、記録用紙の第１面にインクが吐出されることにより画像が記録されると、コックリングと称される現象が生じることがある。コックリングとは、記録用紙が幅方向に波打つように変形する現象である。このコックリングは、特許文献２に開示された記録装置のように、記録用紙をカールした方向と逆方向に所定時間変形させるだけでは矯正されない。
【０００６】
本発明はかかる背景の下になされたものであって、その目的は、第１面への画像記録によって生じた変形を確実に相殺して、第２面への良好な画像記録を実現することができる画像記録装置を提供することである。
【課題を解決するための手段】
【０００７】
(1) 上記目的が達成されるため、本発明に係る画像記録装置は、第１端を先頭として第１パスに沿って搬送される被記録シートの第１面に画像を記録すると共に上記第１端と反対側の第２端を先頭として第１パスから第２パスを経て再び第１パスへ戻された当該被記録シートの第２面に画像を記録する記録部と、この記録部よりも搬送方向第１向き前側に設けられ、上記記録部によって第１面に画像が記録された被記録シートの第２面を支持すると共に当該被記録シートを搬送方向第１向きへ案内する案内支持面を有する第１ガイドと、この第１ガイドとの間に上記第２パスへ通ずる分岐口を形成するように当該第１ガイドよりも搬送方向第１向き前側に配置され、被記録シートを搬送する搬送ローラと、上記分岐口から下方へ延出され、上記搬送ローラによって搬送方向第２向きへ搬送される被記録シートを上記第１パスから上記第２パスへ案内する第２ガイドと、上記分岐口よりも搬送方向第２向き前側に配置された支軸を中心に回動自在に設けられたフラップと、上記第１ガイドに設けられ、上記案内支持面上を搬送される第１面に画像が記録された被記録シートの第２端位置を検知する第２端検知手段と、上記搬送ローラの回転を制御することができる制御装置とを具備する。
【０００８】
そして、上記第１ガイドの案内支持面に凹部が形成されている。また、上記フラップは、上記支軸から搬送方向第１向きへ延出され且つ当該支軸側に設けられた第１補助ローラ及び当該第１補助ローラに対して搬送方向第１向き前側に所定距離だけ隔てて設けられた第２補助ローラを有している。しかも、上記フラップは、上記第１補助ローラが上記凹部に進入する第１姿勢と搬送される被記録シートが上記凹部を覆うことによって上記第１補助ローラが上記支軸を中心に回動して上記凹部から退出する第２姿勢との間で姿勢変化可能となっている。加えて、上記制御装置は、第１面に画像が記録された被記録シートの第２端が上記第１補助ローラを通過して当該第１補助ローラと上記第２補助ローラとの間まで搬送されたときに、当該被記録シートの搬送向きを搬送方向第１向きから搬送方向第２向きへ切り換えるように上記搬送ローラの回転を制御するようになっている。
【０００９】
この構成によれば、被記録シートは、搬送方向第１向きへ搬送される。記録部は、この被記録シートの第１面に画像を記録する。第１面に画像が記録された被記録シートは、その第２面が第１ガイドによって支持されながら搬送ローラによってさらに搬送方向第１向きへ送られる。
【００１０】
常時において、フラップは第１姿勢となっており、フラップに設けられた第１補助ローラは第１ガイドの凹部に進入している。被記録シートが搬送方向第１向きに搬送されると、当該被記録シートの第１端が第１補助ローラに接触する。さらに、当該被記録シートが同向きに搬送されることにより、当該被記録シートによって上記凹部が覆われていくと共に第１補助ローラが押圧される。フラップは支軸を中心に回動自在となっているから、第１補助ローラが被記録シートによって押圧されることにより、フラップが回動して第１姿勢から第２姿勢へと変化する。
【００１１】
搬送方向第１向きに搬送される被記録シートの第２端の位置は、第２端検知手段によって検知される。第２端検知手段は、典型的には、メカニカルセンサとロータリーエンコーダとによって実現される。すなわち、メカニカルセンサによって搬送される被記録シートの第２端が通過したことが検知され、ロータリーエンコーダによって搬送ローラその他の被記録シートを搬送するためのローラの回転量が検知される。この回転量によって被記録シートの搬送量が把握され得ることから、被記録シートの第２端の位置が検知されることになる。そして、被記録シートの第２端が第１補助ローラを通過すると、フラップは第２姿勢から第１姿勢へと変位する。
【００１２】
このとき、第２補助ローラが被記録シートを鉛直方向下側に押さえ付ける。この被記録シートの第２端が第１補助ローラを通過して当該第１補助ローラと第２補助ローラとの間の位置まで搬送されると、制御手段によって搬送モータが逆転され、当該被記録シートは、搬送方向第２向きへ逆送される。逆送された被記録シートの第２端の移動が規制されることにより、この被記録シートは、上記第２補助ローラに押さえ付けられながら、第２面側が凸となるように強制的に湾曲される。
【００１３】
その後、第２パスに送られた被記録シートは、第２端を先頭として第１パスに戻され、記録部によって第２面に画像が記録される。
【００１４】
なお、本明細書においては別段の定めがない限り、「方向」とは、例えば＋、−のように相対する向きを有する直線で表されるものであり、「向き」とは、方向のうち例えば＋若しくは−のように一つのアローヘッドを有する矢印で表されるものである。
【００１５】
(2) 上記第１補助ローラは拍車状に形成されており、上記凹部は、上記第１補助ローラが嵌め込まれる櫛状に形成されているのが好ましい。
【００１６】
この構成では、第１補助ローラが拍車状に形成されているから、インクジェット方式で画像が記録された場合であっても記録面の損傷が防止される。しかも、上記凹部が櫛状に形成されることにより、被記録シートは、上記案内支持面によって確実に支持され案内される。
【００１７】
(3) 上記凹部は、上記第１ガイドの搬送方向第１向き前側端部に設けられているのが好ましい。
【００１８】
この構成では、フラップが第１姿勢となった状態で第１補助ローラが第１ガイドの搬送方向第１向き前側端部に配置されるから、逆送される被記録シートの第２端は、第１補助ローラに単純支持状態で接触することになる。したがって、被記録シートの端部はより大きく湾曲され得る。
【００１９】
(4) 搬送方向第１向きから搬送方向第２向きへ搬送向きが切り換えられた被記録シートの第２端に当接して当該第２端の移動を規制する当接部が、上記第１ガイドに設けられているのが好ましい。
【００２０】
この構成では、逆送される被記録シートの第２端が当接部に当接して、当該第２端の移動が確実に規制される。これにより、仮に被記録シートの剛性が高い場合であっても、確実に湾曲され得る。
【発明の効果】
【００２１】
本発明によれば、第１面に画像が記録された被記録シートが、第２面側が凸となるように湾曲されて癖付けされる。したがって、この被記録シートが第２パスを介して再び第１パスに戻されて記録部へ搬送されたときに、当該被記録シートの第２端が記録ヘッド側に反ってしまうことが防止される。特に、インクジェット方式の画像記録装置の場合、被記録シートの第２端にコックリングが発生する場合があるが、そのような場合であっても当該被記録シートの第２端が記録ヘッド側に接触することが防止される。
【図面の簡単な説明】
【００２２】
【図１】図１は、本発明の一実施形態である複合機の外観斜視図である。
【図２】図２は、本発明の一実施形態である複合機のプリンタ部の内部構造を示す縦断面図である。
【図３】図３は、本発明の一実施形態である複合機の排紙路付近の構成を示す部分拡大断面図である。
【図４】図４は、本発明の一実施形態である複合機の排紙路付近の構成を示す部分拡大斜視図である。
【図５】図５は、本発明の一実施形態である複合機の下側ガイド部材の構造を示す拡大斜視図である。
【図６】図６は、本発明の一実施形態である複合機の排紙路付近の構成を示す部分拡大断面図である。
【図７】図７は、本発明の一実施形態である複合機の制御部の構成を示すブロック図である。
【図８】図８は、本発明の一実施形態である複合機のプリンタ部による両面画像記録動作のフローチャートである。
【図９】図９は、本発明の一実施形態である複合機のプリンタ部の記録用紙搬送系の構造を模式的に示す図である。
【図１０】図１０は、本発明の一実施形態である複合機のプリンタ部の記録用紙搬送系の構造を模式的に示す図である。
【図１１】図１１は、本発明の一実施形態である複合機のプリンタ部の記録用紙搬送系の構造を模式的に示す図である。
【発明を実施するための形態】
【００２３】
以下、適宜図面が参照されつつ、好ましい実施形態に基づいて本発明が詳細に説明される。なお、以下に説明される実施形態は本発明の一実施形態にすぎず、本発明の要旨を変更しない範囲で実施形態が適宜変更され得ることは言うまでもない。
【００２４】
［複合機の概略構成］
【００２５】
図１は、本発明の一実施形態である複合機１０の外観斜視図である。なお、本明細書では、複合機１０が使用される際に通常設置される状態（図１の状態）を基準として、上下の方向が「上下方向１」と定義される。同様に、操作パネル４０が設けられている側を手前側（正面）として、前後の方向が「前後方向２」と定義され、左右の方向が「左右方向３」と定義される。
【００２６】
複合機１０は、高さ（上下方向１の寸法）に対して横幅（左右方向３の寸法）及び奥行き（前後方向２の寸法）が大きい薄型の直方体に概ね形成されている。複合機１０は、主に、下部に配置されたインクジェット記録方式のプリンタ部１１と、上部に配置されたスキャナ部１２と、正面上部に配置された操作パネル４０とを一体的に備えた多機能装置である。複合機１０は、ファクシミリ機能、プリンタ機能、スキャナ機能及びコピー機能などの各種の機能を有している。プリンタ部１１は、被記録シート（典型的には記録用紙）の表面（第１面）及び裏面（第２面）の両面に画像を記録する両面画像記録機能を有している。なお、複合機１０においてプリンタ機能以外の機能は任意であり、例えば、スキャン機能、コピー機能及びファクシミリ機能を有しないプリンタ機能のみを有するプリンタとして本発明の画像記録装置が実施されてもよい。
【００２７】
プリンタ部１１は、正面に開口１３を有する。給紙カセット７８が開口１３からプリンタ部１１の内部に挿入され装着されている。この給紙カセット７８は、開口１３からプリンタ部１１に対して前後方向２に挿抜可能に構成されている。給紙カセット７８は、各種サイズの記録用紙（本発明における「被記録シート」の一例）を収容する。給紙カセット７８はメイントレイ２０及びセカンドトレイ２１を備えており、メイントレイ２０が下段に配置され、セカンドトレイ２１が上段に配置されている。セカンドトレイ２１の前方側の上面は、排出された画像記録済みの記録用紙が保持される排紙保持部７９を構成している。
【００２８】
［プリンタ部の構成］
【００２９】
図２は、プリンタ部１１の内部構造を示す縦断面図である。なお、図２では、給紙カセット７８の前方側の部分は図示されていない。
【００３０】
プリンタ部１１は、上記給紙カセット７８と、給紙カセット７８から記録用紙をピックアップして給紙（給送）する給送部１５と、給紙された記録用紙に画像を記録する記録部２４と、表面に画像が記録された記録用紙の搬送経路を切り換える経路切換部４１とを備えている。記録部２４は、いわゆるインクジェット方式を採用しており、給送部１５によって給紙された記録用紙にインク滴を吐出することにより画像を記録する。なお、記録部２４が採用する記録方式はインクジェット方式に限られず、電子写真方式あるいは感熱記録方式など種々の記録方式が採用され得る。
【００３１】
［搬送路］
【００３２】
プリンタ部１１の内部に搬送路６５（本発明における「第１パス」の一例）が形成されている。この搬送路６５は、メイントレイ２０の先端（複合機１０の後方側の端部）からＵターンするように湾曲し、記録部２４を経て排紙保持部７９まで延びている。また、搬送路６５は、湾曲部６５Ａと排紙路６５Ｂとに区分される。湾曲路６５Ａは、メイントレイ２０の先端から記録部２４に至る経路である。排紙路６５Ｂは、記録部２４から排紙保持部７９に至る経路である。
【００３３】
湾曲路６５Ａは、図２が示すように湾曲しており、メイントレイ２０に設けられた分離傾斜板２２の上端付近から記録部２４まで延びている。湾曲路６５Ａは、プリンタ部１１の外側に凸となるように円弧状に形成されている。この湾曲路６５Ａは、外側ガイド部材１８と内側ガイド部材１９とによって区画されており、両者は所定間隔を隔てて互いに対向配置されている。なお、外側ガイド部材１８及び内側ガイド部材１９並びに後述される上側ガイド部材８３、下側ガイド部材８２、上側傾斜ガイド部材３２及び下側傾斜ガイド部材３３は、いずれも、図２において紙面に垂直な方向（図１における左右方向３）へ延びている。
【００３４】
排紙路６５Ｂは、下側ガイド部材８２（本発明における「第１ガイド」の一例）と上側ガイド部材８３とによって区画されている。下側ガイド部材８２は、記録部２４よりも搬送方向第１向きの前側（以下、単に「下流側」と称される。）に配置されている。ここで、「搬送方向第１向き」とは、矢印１４が示す向きであって、すなわち、記録用紙が搬送路６５及び記録部２４を経て排紙保持部７９に向かう向きをいう。
【００３５】
図３及び図６は、排紙路６５Ｂ付近の構成を示す部分拡大断面図である。図４は、排紙路６５Ｂ付近の構成を示す部分拡大斜視図である。図５は、下側ガイド部材８２の構造を示す拡大斜視図である。
【００３６】
これらの図が示すように、下側ガイド部材８２は前後方向２に沿って概ね水平に延びている。下側ガイド部材８２は、記録部２４よりも下流側に配置されている。具体的には、下側ガイド部材８２は、後述される第２搬送ローラ６２及びこれと対向する拍車ローラ（不図示）よりも下流側に設けられ、下流側に向かってほぼ水平に延びている。下側ガイド部材８２は案内支持面８４を備えており、この案内支持面８４が排紙路６５Ｂの一部を区画している。図５が示すように、下側ガイド部材８２は、後述される凹部８５を備えている。この凹部８５は、案内支持面８４に開口した溝である。画像が記録された記録用紙の下面（すなわち、表面記録時の裏面及び裏面記録時の表面）は、案内支持面８４に支持される。記録用紙は、案内支持面８４に支持されつつ下流側へ案内される。
【００３７】
図３及び図５が示すように、下側ガイド部材８２の下流側の端部１６に隣接して分岐口３６が形成されている。両面画像記録が行われる際に、排紙路６５Ｂに沿って搬送された記録用紙は、分岐口３６の下流側でスイッチバックされる。スイッチバックされて搬送方向第２向き６３に搬送された記録用紙は、上記分岐口３６から斜め下方へ向けて搬送される。
【００３８】
図５が示すように、上記凹部８５は下側ガイド部材８２に形成されている。この凹部８５は、前後方向２に沿って延びる溝である。前述のように、この凹部８５は下側ガイド部材８２の案内支持面８４に設けられているが、この凹部８５が下流側に延ばされて下側ガイド部材８２の下流側の端部１６に達するように形成されていてもよい。この場合、当該凹部８５は、上記分岐口３６と連通することになる。凹部８５のサイズ及び位置は、後述する補助ローラ４７が凹部８５に進退することができるように設計されている。また、本実施形態では、凹部８５は単一の溝ではなく、同図が示すように複数（本実施形態では８つ）の溝が並設されることにより構成されている。すなわち、凹部８５は、櫛状に形成されている。なお、補助ローラ４７については後述される。
【００３９】
図３及び図５が示すように、下側ガイド部材８２に段差部８６が設けられている。この段差部８６は、上記凹部８５に隣接して当該凹部８５の下流側に設けられている。この段差部８６は、上記案内支持面８４が下方に削られることにより形成されている。すなわち、この段差部８６は、上下方向１に延びる壁面を備えている。
【００４０】
図３が示すように、上側ガイド部材８３は、下側ガイド部材８２よりも上方に配置されている。上側ガイド部材８３は、下側ガイド部材８２との間に所定の隙間を開けて対向配置されている。記録用紙は、両者間の隙間を通過する。
【００４１】
［反転搬送路］
【００４２】
図２が示すように、プリンタ部１１の内部に反転搬送路６７（本発明のおける「第２パス」の一例）が形成されている。反転搬送路６７は、分岐口３６を介して排紙路６５Ｂと連結されている。反転搬送路６７は、排紙路６５Ｂから分岐され、給紙カセット７８と記録部２４との間を通って記録部２４よりも搬送方向第１向きの後側（以下、単に「上流側」と称される。）の合流部３７に接続されている。
【００４３】
反転搬送路６７は、傾斜路６７Ａと直線路６７Ｂとに区分されている。図２及び図３が示すように、傾斜路６７Ａは、上側傾斜ガイド部材３２及び下側傾斜ガイド部材３３（本発明における「第２ガイド」の一例）により区画されている。上側傾斜ガイド部材３２は、下側傾斜ガイド部材３３よりも上方に配置されている。上側傾斜ガイド部材３２は、下側ガイド部材８２と一体的に形成されている。上側傾斜ガイド部材３２及び下側傾斜ガイド部材３３は、分岐口３６から斜め下方へ延びている。具体的には、上側傾斜ガイド部材３２及び下側傾斜ガイド部材３３は、搬送方向第２向き６３に向かって斜め下向きに延びている。下側傾斜ガイド部材３３は、上側傾斜ガイド部材３２に対して所定の隙間を空けて対向配置されている。上側傾斜ガイド部材３２及び下側傾斜ガイド部材３３は、それぞれ、分岐口３６から搬送方向第２向き６３に向かって斜め下向きに延びる傾斜面を備えている。記録用紙は、この傾斜面の間の隙間を通過する。
【００４４】
図２が示すように、直線路６７Ｂは、傾斜路６７Ａに連続して下流側へ直線状に延びている。この直線路６７Ｂは、セカンドトレイ２１のスライドガイド３４の上面３４Ａによって区画されている。なお、スライドガイド３４は、セカンドトレイ２１と排紙保持部７９との間に設けられており、前後方向２に沿ってスライド可能となっている。
【００４５】
このように搬送路６５及び反転搬送路６７が形成されているため、給送部１５によってメイントレイ２０又はセカンドトレイ２１から給紙された記録用紙は、湾曲路６５Ａを通って、記録部２４へ搬送される。湾曲路６５Ａに沿って記録用紙が搬送されるので、記録用紙は、給送部１５から送り出された後に表裏反転されることになる。すなわち、記録用紙は、給送部１５の給紙ローラ２５が当接した面とは反対の面（表面）が記録部２４と対向するように反転され搬送される。記録用紙の表面にのみ画像が記録される場合は、記録部２４を通過した記録用紙は、排紙路６５Ｂを通って排紙保持部７９へ搬送される。また、記録用紙の表裏両面に画像が記録される場合は、記録用紙は、経路切換部４１により搬送経路が切り換えられて、反転搬送路６７に案内される。反転搬送路６７に送られた記録用紙は、傾斜路６７Ａ、直線路６７Ｂ及び湾曲路６５Ａを通って再び表裏反転され、裏面が記録部２４と対向するように搬送される。なお、経路切換部４１については後に詳述される。
【００４６】
［記録部］
【００４７】
図２が示すように、記録部２４は、給紙カセット７８の上方に配置されている。記録部２４は、主走査方向（図２において紙面に垂直な方向）に往復動するように構成されている。記録部２４の下方にプラテン４２が設けられている。プラテン４２は、記録部２４によって画像記録が行われる際に、記録用紙を水平に支持するものである。記録部２４は、主走査方向に往復移動されつつインクカートリッジ（不図示）から供給されたインクを微小なインク滴として吐出する。この微小インク滴はプラテン４２上を搬送される記録用紙に付着し、これにより、記録用紙に画像が記録される。
【００４８】
第１搬送ローラ６０及びピンチローラ６１が湾曲路６５Ａに配置されている。これらは対をなしている。ピンチローラ６１は、第１搬送ローラ６０の下方に配置されており、図示されていないバネなどの弾性部材によって第１搬送ローラ６０のローラ面に圧接されている。第１搬送ローラ６０及びピンチローラ６１は、湾曲路６５Ａを搬送してきた記録用紙を狭持してプラテン４２上へ送る。
【００４９】
レジセンサ６６（図７参照）が湾曲路６５Ａの所定位置に設けられている。このレジセンサ６６は、第１搬送ローラ６０よりも上流側に配置されている。このレジセンサ６６は既知の構成であり、回転子及び光学センサ（例えばフォトインタラプタ）を備えている。回転子は、湾曲路６５Ａ内に突出しており、湾曲路６５Ａを横切るように配置される。湾曲路６５Ａを搬送される記録用紙が回転子に当接することにより回転子が倒伏し、これにより、上記光学センサがＯＮ又はＯＦＦされる。この光学センサから出力される信号などに基づいて、搬送路６５における記録用紙の先端又は後端の位置が把握される。
【００５０】
図２及び図３が示すように、第２搬送ローラ６２及び拍車ローラ（不図示）が記録部２４の下流側に設けられている。これらは対をなしている。拍車ローラは、これらの図に示されていないが、第２搬送ローラ６２の上方に配置されている。この拍車ローラは、自重若しくはバネなどの弾性部材によって第２搬送ローラ６２のローラ面に圧接されている。第２搬送ローラ６２及び拍車ローラは、記録済みの記録用紙を狭持してさらに下流側へ搬送する。
【００５１】
第１搬送ローラ６０及び第２搬送ローラ６２は、搬送用モータ７１（図７参照）を駆動源として駆動される。搬送ローラ６０及び排紙ローラ６２の駆動は同期され、これらは間欠駆動される。これにより、記録用紙は所定の改行幅で送られる。なお、図示されていないが、搬送ローラ６０にロータリーエンコーダ９７（図７参照）が設けられている。このロータリーエンコーダ９７は、第１搬送ローラ６０と共に回転するエンコーダディスク（不図示）のパターンを光学センサで検知する。この検知信号に基づいて、第１搬送ローラ６０及び第２搬送ローラ６２の回転が制御されるようになっている。
【００５２】
［給送部］
【００５３】
給送部１５は、給紙カセット７８に収容された記録用紙を湾曲路６５Ａへ向けて搬送するためのものである。給送部１５は、給紙ローラ２５と給紙アーム２６と駆動伝達機構２７とを備えている。給紙ローラ２５は、給紙カセット７８の上側に配置されている。給紙ローラ２５は、給紙カセット７８のメイントレイ２０又はセカンドトレイ２１に収容された記録用紙を湾曲路６５Ａへ送り出す。給紙ローラ２５は、給紙アーム２６の先端に回転自在に軸支されている。給紙ローラ２５は、給紙用モータ７３（図７参照）を駆動源として駆動伝達機構２７を介して回転駆動される。駆動伝達機構２７は給紙アーム２６に設けられており、直線状に並ぶ複数のギヤで構成されている。
【００５４】
給紙アーム２６は、その基端部が基軸２８に支持されており、基軸２８を回動中心軸として回転可能に構成されている。このため、給紙アーム２６は、メイントレイ２０に対して接離可能に上下動することができる。また、給紙アーム２６は、自重により又はバネなどの弾性部材による弾性力により給紙カセット７８側に弾性付勢されている。このため、給紙ローラ２５は、給紙カセット７８に収容された記録用紙の上面に圧接可能である。給紙アーム２６は、給紙カセット７８がプリンタ部１１に対して挿入される際に、給紙カセット７８の後端部（例えば、分離傾斜板２２）に押圧されることによって、上方へ押し上げられるように構成されている。
【００５５】
［経路切換部４１］
【００５６】
図３ないし図５が示すように、経路切換部４１は、上記分岐口３６の近傍に配置されている。経路切換部４１は、図３が示すように、第３搬送ローラ４５（本発明における「搬送ローラ」の一例）と、拍車ローラ４６と、フラップ４９と、このフラップ４９に設けられた第１補助ローラ４７及び第２補助ローラ４８とを備えている。
【００５７】
第３搬送ローラ４５は、下側ガイド部材８２よりも下流側に設けられている。第３搬送ローラ４５は、上記分岐口３６の下流側に隣設されている。第３搬送ローラ４５は、プリンタ部１１のフレームなどに回転可能に支持されている。拍車ローラ４６は、第３搬送ローラ４５の上方に配置されており、自重若しくはバネなどの弾性部材によって第３搬送ローラ４５のローラ面に圧接されている。第３搬送ローラ４５は、搬送用モータ７１（図７参照）により正転又は逆転される。例えば、記録用紙の表面にのみ画像が記録される場合は、第３搬送ローラ４５は正転される。これにより、記録用紙は第３搬送ローラ４５及び拍車ローラ４６に挟持されて下流側へ搬送され、排紙保持部７９に排紙される。また、記録用紙の両面に画像が記録される場合は、第３搬送ローラ４５及び拍車ローラ４６が記録用紙の後端部を挟持した状態で第３搬送ローラ４５が正転され、逆転される。
【００５８】
第３搬送ローラ４５及び拍車ローラ４６が記録用紙を狭持すると、記録用紙は、第３搬送ローラ４５の回転向きに対応する向き（上流側又は下流側）へ搬送される。つまり、第３搬送ローラ４５及び拍車ローラ４６は、記録用紙を排紙路６５Ｂに沿ってさらに下流側（排紙保持部７９側）へ搬送することができ、また、記録用紙を上流側へ戻して反転搬送路６７の傾斜路６７Ａに搬送することができる。なお、表面にのみ画像が記録される場合及び両面に画像が記録される場合における経路切換部４１及び記録用紙の動作については後述される。
【００５９】
図３及び図４が示すように、フラップ４９は、支軸８７に支持されている。この支軸８７は、下側ガイド部材８２側に設けられている。支軸８７は、図３において紙面に垂直な方向へ延びており、分岐口３６よりも上流側（搬送方向第２向き前側）に配置されている。フラップ４９は、支軸８７から下流側へ延びている。フラップ４９の上流側端部４９Ａが支軸８７に回動可能に支持されている。フラップ４９の先端部４９Ｂは、分岐口３６の上方、詳細には、分岐口３６の中央部を超えて第３搬送ローラ４５に近接した位置に達している。
【００６０】
第１補助ローラ４７は、フラップ４９の中央部に配置されている。具体的には、第１補助ローラ４７は、第２補助ローラ４８よりも支軸８７側に配置されている。この第１補助ローラ４７は、支持軸５４に軸支されている。第２補助ローラ４８は、フラップ４９の先端部４９Ｂ側に配置されている。この第２補助ローラ４８は、支持軸５５に軸支されている。つまり、第２補助ローラ４８は、第１補助ローラ４７に対して下流側に所定距離だけ隔てて配置されている。第１補助ローラ４７及び第２補助ローラ４８のローラ面は、記録用紙の記録面に接触するので、拍車ローラ６３及び拍車ローラ４６と同様に拍車状に形成されている。
【００６１】
フラップ４９は、図３が示す第１姿勢と図６が示す第２姿勢との間で姿勢を変化させることができる。フラップ４９が第１姿勢にあるときは、図３及び図５が示すように、第１補助ローラ４７の先端部４９Ｂが分岐口３６よりも下方へ移動し、第１補助ローラ４７が凹部８５に進入している。フラップ４９が第２姿勢にあるときは、図６が示すように、第１補助ローラ４７が凹部８５から退出している。本実施形態では、フラップ４９は、自重により常に第１姿勢となるように回動付勢されている。もっとも、バネ等の弾性部材によってフラップ４９が第１姿勢となるように弾性付勢されていてもよい。
【００６２】
［シートセンサ５０］
【００６３】
図３が示すように、第２搬送ローラ６２よりも下流側にシートセンサ５０（本発明における「第２端検知手段」の一例）が設けられている。シートセンサ５０は、下側ガイド部材８２の案内支持面８４上に記録用紙が存在することを検知する。このシートセンサ５０は、回転子５２及び光学センサ５１（例えばフォトインタラプタ）を備えている。回転子５２は、排紙路６５Ｂ内に突出しており、排紙路６５Ｂを横切っている。排紙路６５Ｂを搬送される記録用紙が回転子５２に当接することにより回転子５２が倒伏し、これにより、上記光学センサがＯＮ又はＯＦＦされる。この光学センサから出力される信号などに基づいて、上記案内支持面８４上に記録用紙が存在すること及び記録用紙の先端又は後端の位置が把握される。
【００６４】
図３が示すように、回転子５２は、支軸５３に支持されており、支軸５３を中心に回転可能となっている。支軸５３は、プリンタ部１１のフレームなどに設けられている。支軸５３は、下側ガイド部材８２よりも下方であり且つ上側傾斜ガイド部材３２よりも上方に配置されている。本実施形態では、常時においては（回転子５２に外力が加えられていない状態では）、回転子５２は、フォトインタラプタ５１の発光素子から受光素子に至る光路に進入し、この光路を通る光を遮断している。記録用紙が案内支持面８４上を下流側へ搬送されると、当該記録用紙によって回転子５２に外力が加えられ、フォトインタラプタ５１の発光素子から受光素子に至る光路が開放される。受光素子が光を受光すると、当該受光素子から出力される出力信号が変動する。具体的には、出力信号の信号レベルがＬＯＷからＨＩＧＨに変わる。これに基づいて、制御部９０（図７参照）は、排紙路６５Ｂ又は傾斜路６７Ａを通る記録用紙の有無や、搬送される記録用紙の先端又は後端の位置を検知する。
【００６５】
なお、本実施形態では、支軸５３にねじりコイルバネ等の弾性部材が取り付けられている。したがって、回転子５２が、図６が示す位置まで回転していたとしても、記録用紙が通過することによって回転子５２は、図３が示す元の状態に復帰する。回転子５２が元の状態に復帰すれば、回転子５２が上記光路に進入して、この光路を通る光を遮断する。これにより、フォトインタラプタ５１の受光素子の出力信号の信号レベルがＨＩＧＨからＬＯＷに変わる。これに基づいて、上記制御部９０は、排紙路６５Ｂ又は傾斜路６７Ａを通る記録用紙の有無、搬送される記録用紙の先端又は後端の位置を検知する。
【００６６】
［制御部］
【００６７】
図７は、複合機１０の制御部９０の構成を示すブロック図である。制御部９０は、複合機１０の全体動作を制御するものであるが、スキャナ部１２及び記録部２４の制御についての詳細な説明は省略される。なお、本実施形態では、制御部９０によって本発明における「制御装置」が実現されている。
【００６８】
制御部９０は、演算処理を行うＣＰＵ９１と、制御プログラムなどが格納されたＲＯＭ９２と、データの記憶領域又は作業領域として使用されるＲＡＭ９３と、設定情報などが記憶されるＥＥＰＲＯＭ９４とが主な構成要素となるマイクロコンピュータとして構成されている。各構成要素は、バス９５を介してデータ転送可能に接続されている。
【００６９】
駆動回路９６がバス９５に接続されている。駆動回路９６は、第１搬送ローラ６０、第２搬送ローラ６２、第３搬送ローラ４５などに接続された搬送用モータ７１や、給紙ローラ２５に接続された給紙用モータ７３を駆動させるものである。駆動回路９６は、搬送用モータ７１及び給紙用モータ７３を駆動するためのドライバを備えており、搬送用モータ７１及び給紙用モータ７３は、これら各ドライバによって独立に制御される。搬送用モータ７１の駆動力は、周知の駆動伝達機構を介して第１搬送ローラ６０、第２搬送ローラ６２及び第３搬送ローラ４５に伝達される。給紙用モータ７３の回転力も前述の駆動伝達機構を介して給紙ローラ２５に伝達される。
【００７０】
本実施形態に係る複合機１０では、搬送用モータ７１は、第１搬送ローラ６０及び第２搬送ローラ６２の駆動源となっている。したがって、記録用紙は、プラテン４２へ向けて搬送され、また、プラテン４２上に位置する記録用紙や記録済みの記録用紙が排紙保持部７９側へ搬送され得る。さらに、搬送用モータ７１は、第３搬送ローラ４５を正転及び逆転させるための駆動源にもなっている。
【００７１】
フォトインタラプタ５１や、搬送用モータ７１により駆動される第３搬送ローラ４５の回転量を検知するロータリーエンコーダ９７などがバス９５に接続されている。制御部９０は、フォトインタラプタ５１の出力信号のレベル及びロータリーエンコーダ９７が検知するエンコーダ量に基づいて、排紙路６５Ｂにおける記録用紙の有無、排紙路６５Ｂにおける記録用紙の先端又は後端の通過位置並びに記録用紙の搬送量を把握する。
【００７２】
［画像記録動作］
【００７３】
図２が示すように、記録用紙は、搬送路６５に沿って搬送方向第１向き（矢印１４の向き）に搬送される。記録部２４は、この記録用紙の表面に画像を記録する。表面に画像が記録された記録用紙は、その裏面が下側ガイド部材８２によって支持されながら第２搬送ローラ６２等によってさらに下流側へ送られる。
【００７４】
フラップ４９は、常時において図３が示す姿勢（すなわち第１姿勢）となっており、第１補助ローラ４７は、凹部８５（図５参照）に嵌り込んでいる。したがって、記録用紙が下流側へ搬送されると、この記録用紙の先端（表面記録時の先端であり、本発明における「第１端」に相当）が第１補助ローラ４７に接触する。さらに、記録用紙が同向きに搬送されることにより、当該記録用紙によって上記凹部８５が覆われていくと共に第１補助ローラ４７が相対的に上方へ押圧される。フラップ４９は支軸８７を中心に回動自在となっているから、第１補助ローラ４７が記録用紙によって上方へ押圧されることにより、フラップ４９が回動して図３が示す第１姿勢から図６が示す第２姿勢へと変化する。
【００７５】
下流側に搬送される記録用紙の後端（裏面記録時の先端であり、本発明における「第２端」に相当）の位置は、シートセンサ５０によって検知される。すなわち、記録シートの後端がシートセンサ５０を通過したことが検知され、ロータリーエンコーダ９７によって第３搬送ローラ４５の回転量及び記録用紙の搬送量が検知される。これにより、記録用紙の表面記録時の後端（裏面記録時の先端）の位置が検知される。そして、記録用紙の後端が第１補助ローラ４７を通過すると、フラップ４９は再び第２姿勢から第１姿勢へと変位する。
【００７６】
フラップ４９が再び第１姿勢に変化すると、第２補助ローラ４８が記録用紙を下方に押さえ付ける。表面にのみ画像が記録される場合は、第３搬送ローラ４５がそのまま回転され、当該記録用紙が排出される。表面に続いて裏面への画像記録が行われる場合は、フラップ４９が第１姿勢に復帰して第２補助ローラ４８が記録用紙を下方に押さえ付けた後に、当該記録用紙の後端が第１補助ローラ４７と第２補助ローラ４８との間の位置まで搬送されたときに、制御部９０によって第３搬送ローラ４５が逆転される。これにより、記録用紙は、搬送方向第２向き（矢印６３の向き：図３参照）へ逆送される。記録用紙が逆送されても、第１補助ローラ４７が上記凹部８５に嵌り込んでいるから、逆送された記録用紙の後端の移動が規制される。したがって、この記録用紙は、上記第２補助ローラに押さえ付けられながら、裏面側に凸となるように強制的に湾曲される。その後、反転搬送路６７に送られた記録用紙は、上記第２端（裏面記録時の先端）を先頭として搬送路６５に戻され、記録部２４によって裏面に画像が記録される。
【００７７】
以下、図８ないし図１１が参照されつつプリンタ部１１による両面画像記録動作について具体的且つ詳細に説明される。
【００７８】
図８は、プリンタ部１１による両面画像記録動作のフローチャートである。また、図９ないし図１１は、プリンタ部１１の記録用紙搬送系の構造を模式的に示す図である。
【００７９】
図８が示すように、複合機１０に両面印刷が開始されると（Ｓ１）、当該印刷ジョブに係る記録用紙の種類の情報（Ｓ２）及びサイズの情報（Ｓ３）がＲＡＭ９３に格納される。ＣＰＵ９１は、これらの情報から記録用紙を前述のように逆送させて意図的に湾曲させる処理（Ｓ５〜Ｓ１４：ジャム防止のための反転搬送処理）が必要かどうかについて判断する（Ｓ４）。この判断は、ＲＯＭ９２に格納されているプログラムにしたがって行われる。この判断の基準は記録用紙の種類及びサイズの情報が採用されるが、記録用紙へのインクの吐出量も判断基準とされてもよい。コックリング等の変形は、肉厚の薄い記録用紙ほど顕著になり、インクの吐出量が多いほど顕著になるからである。
【００８０】
図８が示すように、記録用紙の種類（厚さ及びサイズ）並びにインクの吐出量に基づいて上記「意図的に湾曲させる処理」を行うことが決定された場合（Ｓ４において「Ｙ」）は、記録用紙を意図的に湾曲させるための反転搬送量Ｈが算出される（Ｓ５）。この演算は、ＲＯＭ９２に格納されているプログラムにしたがってＣＰＵ９１が行う。ＣＰＵ９１は、記録用紙の種類及び記録用紙へのインクの吐出量によって反転搬送量Ｈを決定する。次に、この反転搬送量Ｈに対応して、記録用紙５５が反転搬送されるまでの排紙搬送量Ｆが算出される（Ｓ６）。この排紙搬送量Ｆは、上記反転搬送量Ｈよりも小さくなるように設定される。この排紙搬送量Ｆ及び反転搬送量Ｈは、ＲＡＭ９３に格納される（Ｓ７）。これら反転搬送量Ｈ及び排紙搬送量Ｆのデータは、以下に示すように記録用紙の搬送に反映される。
【００８１】
図８及び図９が示すように、給紙用モータ７３が駆動されて、給紙ローラ２５によって記録用紙５５が給紙される。給紙された記録用紙５５は、湾曲路６５Ａに沿って下方から上方へＵターンするように記録部２４へ搬送される。このとき、記録用紙５５は、給紙ローラ２５が当接した面とは反対の面（表面５６）が記録部２４と対向するように反転される。記録用紙５５が第１搬送ローラ６０及びピンチローラ６１に到達すると、給紙ローラ２５の回転が停止され、第１搬送ローラ６０及びピンチローラ６１によって記録用紙５５が記録部２４とプラテン４２との間に搬送される。そして、記録部２４によって画像記録が開始される（Ｓ８）。記録部２４によって表面５６に画像が記録された記録用紙５５は、第２搬送ローラ６２及び拍車ローラ６３によって排紙路６５Ｂに搬送される。表面５６への画像記録の際中に表面５６への画像記録が終了したかどうかが判断される（Ｓ９）。表面５６への画像記録が終了していないのであれば（Ｓ９において「Ｎ」）当該表面５６への画像記録が続行され、当該表面５６への画像記録が終了したならば（Ｓ９において「Ｙ」）、記録用紙５６は第２搬送ローラ６２及び拍車ローラ６３によって排紙路６５Ｂに沿って下流側にさらに搬送される（Ｓ１０）。
【００８２】
記録用紙５５が排紙路６５Ｂを搬送される際に、記録用紙５５の先端（表面記録時の先端）が回転子５２に到達すると、回転子５２が図９（Ａ）が示すように時計まわりに回転する。これにより、フォトインタラプタ５１（図７参照）の出力信号はＬＯレベルからＨＩＧＨレベルに変化する。制御部９０は、このときの信号レベルの変化を検出して、排紙路６５Ｂにおける記録用紙５５の先端の位置を検知する。つまり、制御部９０は、記録用紙５５の先端が回転子５２に到達したことを検知する。
【００８３】
さらに記録用紙５５が搬送されて、その先端がフラップ４９の第１補助ローラ４７に近づく。この記録用紙５５は、フラップ４９に設けられた凹部８５を覆っていくと共に第１補助ローラ４７に衝突する。このとき、第１補助ローラ４７は、記録用紙からフラップ４９を上方へ回動させる力を受ける。これにより、図９（Ａ）が示すように、フラップ４９は、図３が示す第１姿勢から図６が示す第２姿勢へ姿勢変化する。記録用紙５５はそのまま排紙保持部７９側へ搬送される。
【００８４】
この記録用紙５５が下流側へ搬送されて、記録用紙５５の後端（表面記録時の後端）が回転子５２を通過すると、回転子５２は記録用紙５５による力の作用が解除されるため、反時計まわりに回転して、図９（Ｂ）が示す初期姿勢に復帰する。これにより、フォトインタラプタ５１の出力信号はＨＩＧＨレベルからＬＯレベルに変化する。制御部９０は、この信号レベルの変化を検出して、排紙路６５Ｂにおける記録用紙５５の後端の位置を検知する（Ｓ１１）。つまり、制御部９０は、記録用紙５５の後端が回転子５２を通過したことを検知する。
【００８５】
フラップ４９は常時第１姿勢となるように付勢されているから、搬送される記録用紙５５の後端が第１補助ローラ４７を通過すると、図１０（Ｃ）が示すように、フラップ４９は再び第１姿勢へと姿勢変換する傾向にある。また、記録用紙５５の後端が回転子５２を通過したことが検知されると（Ｓ１１において「Ｙ」）、制御部９０は、記録用紙５５を上記一定量（Ｆ値量）だけ搬送させた後に（Ｓ１２）、第３搬送ローラ４５の回転を逆転させる。このＦ値量は、回転子５２から第１補助ローラ４７を通過するまでの距離に相当する搬送量である。このＦ値量は、回転子５２から第１補助ローラ４７を越えて下側ガイド部材８２の下流側の端部１６に至るまでの距離である。このＦ値量は、ロータリーエンコーダ９７のエンコーダ量によって把握される。したがって、制御部９０は、記録用紙５５の後端が第１補助ローラ４７を通過した後上記端部１６までの中間位置で記録用紙５５の搬送を停止させ、直ちに逆送する。
【００８６】
フラップ４９が第１姿勢に変化することによって、図１０（Ｃ）が示すように、記録用紙５５は、第２補助ローラ４８によって下側へ凸となるように湾曲される。このとき、記録用紙５５の後端は、フラップ４９と下側ガイド部材８２との間に挟まれており、第１補助ローラ４７の後側に位置する。なお、このときの記録用紙５５の後端の位置は、第１補助ローラ４７の直後でなくてもよく、第１補助ローラ４７と第２補助ローラ４８との間に位置していれば良く、特に下側ガイド部材８２の下流側の端部１６との間に位置しているのが好ましい。
【００８７】
制御部９０によって搬送用モータ７１が逆転されると、記録用紙５５の後端（裏面印刷時の先端）が下側ガイド部材８２の案内支持面８４に沿ってスライドする。記録用紙５５の後端は、案内支持面８４に形成された段差部８６（図３参照）に当接し、上流側への移動が規制される。さらに、この状態で第３搬送ローラ４５が当該記録用紙５５を上流側へ逆送する。記録用紙５５は上記一定量（Ｈ値量）だけ逆送される（Ｓ１３）。このＨ値量は、ロータリーエンコーダ９７のエンコーダ量によって把握される。記録用紙５５が逆送されることにより、当該記録用紙５５は、図１０（Ｄ）が示すように強制的に裏面（表面５６と反対側の面）側に凸となるように湾曲され、癖付けされる。
【００８８】
さらに、制御部９０は、搬送用モータ７１を正転させて記録用紙５５を一定量（Ｋ値量）だけ下流側に搬送する（Ｓ１４）。このＫ値量は、上記Ｈ値量よりも大きく設定される。これにより、記録用紙５５の後端は下側ガイド部材３３から外れる。同時にフラップ４９が第１姿勢に変化するので、記録用紙５５は、第２補助ローラ４８に押圧されながら分岐口３６から反転搬送路６７に進入する。その後、制御部９０は再び搬送用モータ７１を逆転させて、記録用紙５５をその後端を先頭として反転搬送路６７に沿って上記搬送路６５へ搬送する（Ｓ１５）。すなわち、記録用紙５５はスイッチバックされて、反転搬送路６７に沿って搬送される。
【００８９】
記録用紙５５が湾曲路６５Ａに沿って搬送されることにより、記録用紙は表裏反転され、記録部２４へ搬送されるる。このとき、記録用紙５５の裏面が記録部２４と対向する。記録部２４によって裏面に画像が記録される（Ｓ１６）。裏面への画像記録が終了すると（Ｓ１７）、当該記録用紙５５は、下側ガイド部材８２に支持されつつ下流側へ搬送される。この記録用紙５５は、前述のようにフラップ４９を第１姿勢から第２姿勢に変化させつつ第３搬送ローラ４５によって排紙保持部７９へ排出され、当該画像記録が終了するる（Ｓ１９、Ｓ２１）。
【００９０】
ところで、上記ステップＳ４において（図８参照）、両面印刷が開始されたときに、記録用紙５５の種類及びサイズに応じて、ステップＳ５〜Ｓ１４の処理（ジャム防止のための反転搬送処理）の必要性の有無が判断されたが、ステップＳ５〜Ｓ１４の処理が不要であると判断された場合は（Ｓ４において「Ｎ」）、上記Ｈ値量がゼロに設定され（Ｓ１９）、これに基づいて上記Ｆ値量が決定される（Ｓ２０）。すなわち、実質的にステップＳ５〜Ｓ１４の処理が省略される。
【００９１】
［本実施形態の効果］
【００９２】
本実施形態に係る複合機１０によれば、表面５６に画像が記録された記録用紙５５は、裏面側が凸となるように湾曲されて癖付けされる。したがって、この記録用紙５５が再び搬送路６５に戻されて記録部２４へ搬送されたときに、当該記録用紙５５の後端（裏面記録時の先端）が記録部２４側に反ってしまうことが防止される。これにより、良好な画像記録が実現される。
【００９３】
本実施形態に係る複合機１０では、記録用紙５５の後端（裏面記録時の先端）部分が癖付けされるが、当該癖付けの際に記録用紙の後端が下側ガイド部材８２に段差部８６（図３参照）に当接される。したがって、逆送される記録用紙５５の後端の移動が確実に規制され、仮に記録用紙５５の剛性が高い場合であっても、確実に湾曲される。
【００９４】
また、第１補助ローラ４７が拍車状に形成されているから、インクジェット方式で画像が記録された場合であっても記録面の損傷が防止される。さらに、上記凹部８５は、第１補助ローラ４７が嵌め込まれる櫛状に形成されているから、記録用紙５５には、下側ガイド部材８２の案内支持面８４によって確実に支持され案内されるという利点がある。
【００９５】
もっとも、上記段差部８６が省略されてもよい。その場合、ステップＳ１３（図８参照）でＨ値量だけ逆送される記録用紙の後端は、第１補助ローラ４７に当接する。この状態で第３搬送ローラ４５が当該記録用紙５５を上流側へ逆送することによって、記録用紙５５は、図１０（Ｄ）が示すように強制的に裏面（表面５６と反対側の面）側に凸となるように湾曲され、癖付けされる。
【００９６】
加えて、前述のように、上記凹部８５が下流側に延ばされて下側ガイド部材８２の下流側の端部１６に達するように形成されていてもよい。この場合、フラップ４９が第１姿勢となった状態で第１補助ローラ４７が下側ガイド部材８２の下流側の端部１６に配置されることになる。したがって、上記ステップＳ１３（図８参照）で記録用紙５５が逆送される際に、記録用紙５５の後端は、第１補助ローラ４７に単純支持状態で接触することになる。つまり、記録用紙５５の後端が支持端となり、当該記録用紙５５が大きく湾曲される。換言すれば、図１０（Ｄ）が示すように、記録用紙５５の後端部分が下側ガイド部材８２の下流側の端部１６で折り曲げられることなく、記録用紙５５全体が下側へ大きく湾曲して確実に癖付けされる。
【符号の説明】
【００９７】
１０・・・複合機
１１・・・プリンタ部
２４・・・記録部
３６・・・分岐口
４５・・・第３搬送ローラ
４７・・・第１補助ローラ
４８・・・第２補助ローラ
４９・・・フラップ
５０・・・シートセンサ
５１・・・フォトインタラプタ
５２・・・回転子
５５・・・記録用紙
５６・・・表面
６５・・・搬送路
６５Ａ・・・湾曲路
６５Ｂ・・・排紙路
６７・・・反転搬送路
６７Ａ・・・傾斜路
６７Ｂ・・・直線路
６９・・・傾斜ガイド
８２・・・下側ガイド部材
８３・・・上側ガイド部材
８４・・・案内支持面
８５・・・凹部
８６・・・段差部
９０・・・制御部
【図１】
2010208718.tif 000003
【図２】
2010208718.tif 000004
【図３】
2010208718.tif 000005
【図４】
2010208718.tif 000006
【図５】
2010208718.tif 000007
【図６】
2010208718.tif 000008
【図７】
2010208718.tif 000009
【図８】
2010208718.tif 000010
【図９】
2010208718.tif 000011
【図１０】
2010208718.tif 000012
【図１１】
2010208718.tif 000013